(57)【要約】    【課題】  両手を用いることなく、片手操作のみによって携帯式電子機器の着脱が容易に行なわれ、とくに取外す際に電子機器を上から押すだけでその操作が行ない得るようにした電子機器の載置台を提供する。    【解決手段】  載置台１１の本体部２６に対してヒンジピン４２によって回動自在に受板２５を取付けるようにし、この受板２５の開口３０に本体部２６に取付けられているコネクタ３２を遊嵌して取付けるようにし、しかも受板２５のロック部５７を本体部２６側のプッシュ・プッシュ式ラッチ４８によってロックするようにする。そして充電あるいは外部入出力動作を終了した後に、デジタルビデオカメラ１０を、受板２５に押付けるように上方から下方に押下げると、上記プッシュ・プッシュ式ラッチ４８によるロック部５７のロックが解除され、プッシュ・プッシュ式ラッチ４８に内蔵されている圧縮コイルばね６５の弾性復元力によって受板２５が浮上がるようにし、このときにコネクタ３２の接続が解除されるようにする。    【選択図】      図４
2006180098.tif 000002
【特許請求の範囲】
【請求項１】
電子機器をその上に載置し、コネクタによって該電子機器の被接続部と接続して所定の動作を行なう載置台において、
前記載置台の上部が受板から構成され、該受板が載置台の本体部に対して回動自在に取付けられ、しかも該受板のロック部が前記載置台の本体部に設けられたプッシュ・プッシュ式のラッチによってロックされて使用状態に維持され、
使用状態において前記電子機器を押込むように前記受板に押付けると、前記ロック部が前記プッシュ・プッシュ式のラッチを解除状態に切換え、該ラッチが前記ロック部を介して前記受板を押上げて前記コネクタと前記電子機器の被接続部との接続を解除することを特徴とする電子機器の載置台。
【請求項２】
前記コネクタによって前記電子機器の被接続部と接続し、前記載置台を介して充電または外部入出力を行なうことを特徴とする請求項１に記載の電子機器の載置台。
【請求項３】
前記電子機器の被接続部と対応して前記受板に開口が形成され、該開口に臨むように載置台の本体部にコネクタが取付けられることを特徴とする請求項１に記載の電子機器の載置台。
【請求項４】
前記プッシュ・プッシュ式のラッチが異形のハートカムを有し、該ハートカムの係合部に係合ピンが係合すると、前記ラッチがロック動作を行ない、ロック状態でさらに前記電子機器を押込むように前記受板に押付けると、前記係合ピンが前記ハートカムを乗越えて非係合状態になり、前記電子機器に対する押圧力を解除すると前記ラッチに内蔵されたばねによって前記ロック部を押込み方向と逆方向に押上げ、これに連動して前記受板が押上げられて前記コネクタと前記電子機器の被接続部との接続が解除されることを特徴とする請求項１に記載の電子機器の載置台。
【請求項５】
前記ラッチが、ケースと、該ケース内において押込み方向に摺動自在な摺動子と、該摺動子の上端部に変形可能に連設された狭着子と、前記摺動子の側端に設けられた異形のハートカムと、該ハートカムに係合する搖動自在な係合ピンと、前記摺動子を上方に付勢するばねとを有し、
前記摺動子を前記ケース内を下方に摺動させると、該ケースの側壁部によって前記狭着子が変形して前記受板のロック部が狭着されてロックされ、しかも前記係合ピンが前記異形のハートカムの係合部に係合してロック動作が行なわれることを特徴とする請求項４に記載の電子機器の載置台。
【請求項６】
前記受板が、電子機器の被位置決め部を位置決めする位置決め手段を有することを特徴とする請求項１に記載の電子機器の載置台。
【請求項７】
前記受板が、ロック部とは反対側の側端の近傍においてヒンジピンによって本体部に回動可能に支持されることを特徴とする請求項１に記載の電子機器の載置台。
【請求項８】
前記電子機器がビデオカメラであることを特徴とする請求項１に記載の電子機器の載置台。
【発明の詳細な説明】
【技術分野】
【０００１】
本発明は電子機器の載置台に係り、とくに電子機器をその上に載置し、コネクタによって該電子機器の被接続部と接続して所定の動作を行なう電子機器の載置台に関する。
【背景技術】
【０００２】
例えば特開２００１−３５５４３号公報には、充電器の上部ケースと下部ケースとから成る本体ケースに、携帯型電子機器に収容されている二次電池を充電する第１の充電部と、充電ケースに収容されている二次電池を充電する第２の充電部を、長手方向に並置するとともに高さ方向に重ねて配置し、第１の充電部は第１の充電用端子が、また第２の充電部には第２の充電用端子が設けられており、充電ケースは電池フックにより本体ケースに着脱自在に装着され、上部ケースと下部ケースの固定用ボスで、携帯型電子機器の本体ケースに対する位置決め手段と本体ケースへの着脱手段とを兼用するようにした携帯型電子機器の充電器が開示されている。このような充電器によると、携帯型電子機器に収容された二次電池と、充電ケースに収容された二次電池とを同時に充電することができるようになる。
【０００３】
このように携帯型電子機器においては、不使用時に充電等の目的のために、載置台上に載置するようにしている。またとくに載置台を通して信号の授受を行なうようにする場合には、載置台に設けられているコネクタと電子機器の被接続部とを接続し、載置台を通して外部機器、例えばコンピュータやプリンタとの間でデータの授受を行ない、これによってデータ処理・加工や印刷を行なうようにしている。
【０００４】
ところが、従来の携帯型電子機器の載置台は、電子機器を取外す際に単純に電子機器のみを持上げようとすると、一緒に載置台も持上がることになり、必ず片方の手で載置台を押さえて浮かないようにし、もう一方の手で電子機器を持上げなければならず、両手を使って取外す必要がある。
【０００５】
また携帯型電子機器であって、その底部にコネクタが設けられている場合には、上から載置台を構成するクレードルに電子機器を直接差込むように構成すると、電子機器を装着する際に電子機器の向きを間違え易くし、これによって端子部を傷つける可能性があった。
【特許文献１】特開２００１−３５５４３号公報
【特許文献２】特開平９−２７３４８号公報
【発明の開示】
【発明が解決しようとする課題】
【０００６】
本願発明の課題は、片手で容易に電子機器の着脱を可能にした電子機器の載置台を提供することである。
【０００７】
本願発明の別の課題は、電子機器を載置台から取外す際に、電子機器のみを持上げるようにすると一緒に載置台も持上がり、このために片手で載置台を押さえて浮かないようにし、両手を使って取外す必要がないようにした電子機器の載置台を提供することである。
【０００８】
本願発明のさらに別の課題は、載置台から取外す際に、電子機器を上方から押下げるだけで取外すことができるようにした電子機器の載置台を提供することである。
【０００９】
本願発明のさらに別の課題は、電子機器を装着する際にその向きを間違えても、接続部を傷つける恐れがないようにした電子機器の載置台を提供することである。
【００１０】
本願発明の上記の課題および別の課題は、以下に述べる本願発明の技術的思想およびその実施の形態によって明らかにされよう。
【課題を解決するための手段】
【００１１】
本願の主要な発明は、電子機器をその上に載置し、コネクタによって該電子機器の被接続部と接続して所定の動作を行なう載置台において、
前記載置台の上部が受板から構成され、該受板が載置台の本体部に対して回動自在に取付けられ、しかも該受板のロック部が前記載置台の本体部に設けられたプッシュ・プッシュ式のラッチによってロックされて使用状態に維持され、
使用状態において前記電子機器を押込むように前記受板に押付けると、前記ロック部が前記プッシュ・プッシュ式のラッチを解除状態に切換え、該ラッチが前記ロック部を介して前記受板を押上げて前記コネクタと前記電子機器の被接続部との接続を解除することを特徴とする電子機器の載置台に関するものである。
【００１２】
ここで、前記コネクタによって前記電子機器の被接続部と接続し、前記載置台を介して充電または外部入出力を行なってよい。また前記電子機器の被接続部と対応して前記受板に開口が形成され、該開口に臨むように載置台の本体部にコネクタが取付けられてよい。また前記プッシュ・プッシュ式のラッチが異形のハートカムを有し、該ハートカムの係合部に係合ピンが係合すると、前記ラッチがロック動作を行ない、ロック状態でさらに前記電子機器を押込むように前記受板に押付けると、前記係合ピンが前記ハートカムを乗越えて非係合状態になり、前記電子機器に対する押圧力を解除すると前記ラッチに内蔵されたばねによって前記ロック部を押込み方向と逆方向に押上げ、これに連動して前記受板が押上げられて前記コネクタと前記電子機器の被接続部との接続が解除されてよい。また前記ラッチが、ケースと、該ケース内において押込み方向に摺動自在な摺動子と、該摺動子の上端部に変形可能に連設された狭着子と、前記摺動子の側端に設けられた異形のハートカムと、該ハートカムに係合する搖動自在な係合ピンと、前記摺動子を上方に付勢するばねとを有し、前記摺動子を前記ケース内を下方に摺動させると、該ケースの側壁部によって前記狭着子が変形して前記受板のロック部が狭着されてロックされ、しかも前記係合ピンが前記異形のハートカムの係合部に係合してロック動作が行なわれてよい。また前記受板が、電子機器の被位置決め部を位置決めする位置決め手段を有してよい。また前記受板が、ロック部とは反対側の側端の近傍においてヒンジピンによって本体部に回動可能に支持されてよい。また前記電子機器がビデオカメラであってよい。
【００１３】
本願発明の好ましい態様は、電子機器の充電および外部出力、入力等を可能にするクレードルを構成する載置台において、浮出しラッチを用いた着脱機構を配置することによって、片手で容易に電子機器の着脱を可能にしたものである。このような構成によれば、片手の操作で携帯式の電子機器の載置台への装着が容易に行なえる。また載置台から取外すときには、この電子機器を上部から押下げるように押すだけでよく、このために取出しの操作が非常に容易に、かつ片手で行なえるようになる。
【発明の効果】
【００１４】
本願の主要な発明は、電子機器をその上に載置し、コネクタによって該電子機器の被接続部と接続して所定の動作を行なう載置台において、載置台の上部が受板から構成され、該受板が載置台の本体部に対して回動自在に取付けられ、しかも該受板のロック部が載置台の本体部に設けられたプッシュ・プッシュ式のラッチによってロックされて使用状態に維持され、使用状態において電子機器を押込むように受板に押付けると、ロック部がプッシュ・プッシュ式のラッチを解除状態に切換え、該ラッチがロック部を介して受板を押上げてコネクタと電子機器の被接続部との接続を解除するようにしたものである。
【００１５】
従ってこのような電子機器の載置台によれば、所定の動作を完了したときに、載置台上の電子機器を押込むことによって、受板のロック部がプッシュ・プッシュ式のラッチを解除状態に切換えるようになり、ラッチがロック部を介して受板を押上げて、コネクタと電子機器の被接続部との接続を解除するようになる。従って載置台を予め反対の手で押さえながら電子機器をもう一方の手で上方に持上げる必要がなくなり、片手でしかも上方から電子機器を押圧する操作だけで電子機器の取外しが可能になる。
【発明を実施するための最良の形態】
【００１６】
以下本願発明を、図示の実施の形態によって説明する。図１は、この実施の形態のデジタルビデオカメラ１０を載置するクレードルから成る載置台１１を示している。まずデジタルビデオカメラ１０について説明すると、図２および図３に示すように、デジタルビデオカメラ１０はその上端であって光軸方向の先端側に鏡筒１４を備えている。鏡筒１４とは反対側の位置にはビューファインダ１５が設けられている。また本体の側面側には、開閉自在に液晶表示部から成るモニタ１６が取付けられている。またこのデジタルビデオカメラ１０は、上記モニタ１６が取付けられている部分とは反対側の外筐の部分に３つの位置決め用凹部１７が形成されるとともに、さらに側端には、図３Ａに示すように位置決め用凹部１８が形成されている。また上記載置台１１上に載置される際に、下側に位置する部位には、コネクタと接続される被接続部２０が設けられている（図２、図３Ｂ参照）。
【００１７】
次に、このようなデジタルビデオカメラ１０を載置するクレードルから成る載置台１１について説明すると、この載置台１１は図１および図４に示すように、受板２５と、本体部２６と、底板２７とを備えている。ここでとくに受板２５は、その先端側に側部に偏って、矩形の開口３０を備えるとともに、この開口３０に遊嵌されるようにコネクタホルダ３１が配される。そしてコネクタホルダ３１の下部にはコネクタ３２が取付けられるようになっている。コネクタ３２はプリント基板３３上に実装されており、しかもプリント基板３３上の配線はフレキシブル基板３４を介して底板２７上のプリント基板３５に接続されるようになっている。しかも上記プリント基板３３が下側から押え３６によって上記本体部２６の下面に取付けられるようになっている。
【００１８】
載置台１１の受板２５上には、３つの位置決め用凸部３９が形成され、これらの凸部３９が上記デジタルビデオカメラ１０の位置決め用凹部１７に係合されるようになっている。また受板２５上には、その側方に位置決め用爪４０が形成され、この爪４０が上記デジタルビデオカメラ１０の外側部の位置決め用凹部１８に係合されるようになっている。また受板１０の下部であってその側端側には、一対のヒンジブラケット４１が設けられ、これらのヒンジブラケット４１によってヒンジピン４２が支持される。そしてヒンジピン４２は、本体部２６の下面のヒンジブラケット４３と係合し、これによって受板２５が本体部２６に対して回動自在に支持される。
【００１９】
上記本体部２６上には矩形の開口４６が形成されるとともに、この開口４６の先端側には保持部４７が形成される。そして保持部４７がプッシュ・プッシュ式ラッチ４８を保持するようにしている。また本体部２６は係止爪４９を備え、この係止爪４９が本体部２６と底板２７との結合手段を構成している。
【００２０】
次に上記受板２５をロックするとともに、ロック解除された場合に押上げるプッシュ・プッシュ式ラッチ４８の構造を図７および図８によって説明する。プッシュ・プッシュ式ラッチ４８は上部が開放された合成樹脂製のケース５２を備え、このケース５２内に合成樹脂成形体から成る摺動子５３を摺動自在に保持する。摺動子５３の上端であってその両側にはそれぞれ薄肉のヒンジ部５４を介して狭着子５５が変形自在に取付けられている。狭着子５５はケース５２の両側の押圧用側壁５６によって押圧され、これによって図８Ａに示すように受板２５に連設されたロック部５７を狭着してロック動作を行なうようにしている。
【００２１】
摺動子５３の前面側および背面側にはそれぞれ異形のハートカム６０が形成されるとともに、このハートカム６０の中間位置には段部から成る係合部６１が設けられている。そして上記係合部６１に係合する係合ピン６２をケース５２内に備えている。そして係合ピン６２の上端の屈曲部６３が係合部６１と係合するようになっている。また摺動子５３のハートカム６０の斜め下側にはガイドリブ６４が形成されている。
【００２２】
そして摺動子５３はケース５２内で圧縮コイルばね６５によって上方に押圧されるようになっている。圧縮コイルばね６５は摺動子５３の下面に開放されている円形の凹部６６内に収納保持されるとともに、ケース５２の底部に立設されたピン６７に保持されるようになっている。また摺動子５３の前面側には突部６８が形成され、この突部６８がケース５２に形成された縦方向のスリット６９によって摺動可能に案内されるようになっている。
【００２３】
図５は、プッシュ・プッシュ式のラッチ４８を備えるこのような載置台１１上にビデオカメラ１０を載置して充電、入出力動作等の所定の動作を行なっている状態（Ａ）、上記ビデオカメラ１０を上から下方に押下げて受板２５のロックを解除し、これによって受板２５とともにビデオカメラ１０が上方に押上げられた状態（Ｂ）、および受板２５のロックを解除するためにＡの状態でビデオカメラ１０を下方に押下げた状態（Ｃ）をそれぞれ示している。
【００２４】
図６Ａ、Ｂ、Ｃは上記図５Ａ、Ｂ、Ｃに対応しており、ビデオカメラ１０を正しく装着した受板２５が正しくロックされている状態（Ａ）、受板２５のロックが解除された状態（Ｂ）、および上記受板２５のロックを解除するためにビデオカメラ１０を下方に押下げた状態（Ｃ）のそれぞれの受板２５と本体部２６との関係を示している。
【００２５】
次に以上のような構成に成るこの載置台１１の動作について説明する。図５Ｂおよび図６Ｂは載置台１１の受板２５のロックが解除された状態を示しており、このときにはプッシュ・プッシュ式ラッチ４８によって受板２５のロック部５７が上方に押され、これによって受板２５がヒンジピン４２を中心として上方に３度回転した位置で止まっている。そしてこのときにはビデオカメラ１０の被接続部２０と載置台１１のコネクタ３２との接続は行なわれていない。このような状態においてビデオカメラ１０の位置決め用凹部１７を受板２５の位置決め用凸部３９に係合させ、さらにビデオカメラ１０の位置決め用凹部１８を受板２５の位置決め用爪４０に合わせてビデオカメラ１０を受板２５上で正しく位置決めす  る。
【００２６】
このように受板２５が上方に回動された状態において、この受板２５上にデジタルビデオカメラ１０を載置するとともに、そのときにデジタルビデオカメラ１０の位置決め用凹部１７、１８を受板２５の位置決め用凸部３９および位置決め用爪４０に係合させて位置決めを行なうようにしている。従って受板２５が下降する前に、受板２５に対してデジタルビデオカメラ１０が正しく位置決めされることになる。従ってこの後にデジタルビデオカメラ１０を押下げ，受板２５を下降させてデジタルビデオカメラ１０の被接続部２０を載置台１１のコネクタ３２に係合させる際に、両者が正しく位置決めされるために、被接続部２０やコネクタ３２の損傷が回避されることになる。
【００２７】
上述のようにビデオカメラ１０を正しく位置決めしたならば、この状態で載置台１１上のビデオカメラ１０を上方から下方に押下げる。最大の押込み位置が図５Ｃおよび図６Ｃである。そしてこのような押込み動作によって、ビデオカメラ１０の被接続部２０と載置台１１のコネクタ３２との接続が達成される。そしてこの状態でビデオカメラ１０から手を離して押圧力を解除すると、受板２５のロック部５７をロックしているプッシュ・プッシュ式ラッチ４８は、図８Ａに示す状態になり、とくに摺動子５３の異形のハートカム６０の係合部６１が係合ピン６２の屈曲部６３と係止することになる。従ってプッシュ・プッシュ式ラッチ４８によって受板２５が水平な状態でロックされる。従って上記ビデオカメラ１０は載置台１１のコネクタ３２を通して外部との接続が可能になり、充電や外部入出力の操作が可能になる。
【００２８】
次に上述のように受板２５がロックされ、その上にビデオカメラ１０が載置された状態において、図５Ｃに示すように、このビデオカメラ１０の上面に手で力を加え、このビデオカメラ１０を下方に押込むと、プッシュ・プッシュ式ラッチ４８の状態が図８Ｃに示すように変化し、摺動子５３の異形のハートカム６０の右上端側に係合ピン６２の屈曲部６３が移動して係合状態が解除される。
【００２９】
従ってこの状態でビデオカメラ１０に加えた力を除くと、受板２５はビデオカメラ１０を載せた状態で、プッシュ・プッシュ式ラッチ４８に内蔵される圧縮コイルばね６５によって押上げられる。すなわちこのコイルばね６５が、摺動子５３を介してロック部５７を押上げるために、受板２５とともにビデオカメラ１０が押上げられる。この動作によってビデオカメラ１０の被接続部２０と本体部２６に保持されたコネクタ３２との接続を解除される。従ってビデオカメラ１０は単に受板２５上に載置された状態になるから、ビデオカメラ１０を押下げたその手で簡単に取外すことができ、このときに載置台１１を手で押さえる必要がなくなる。
【００３０】
従ってこのような構成によれば、ビデオカメラ１０の充電および外部入出力を可能とする載置台において、プッシュ・プッシュ式ラッチ４８を用いた着脱機構とすることによって、片手で容易にビデオカメラ１０の着脱を可能にすることになり、片手操作によってビデオカメラ１０の載置台１１に対する着脱が容易に行ない得るようになる。またとくに載置台１１から取外す際に、ビデオカメラ１０を上から下方に押すだけの操作でよくなり、載置台１１からの取外しの操作性が改善されるようになる。
【００３１】
以上本願発明を、図示の実施の形態によって説明したが、本願発明は上記実施の形態によって限定されることなく、本願に含まれる発明の技術的思想の範囲内において各種の変更が可能である。例えば上記実施の形態は、デジタルビデオカメラ１０の充電および外部入出力のための載置台１１に関するものであるが、本願発明は必ずしもビデオカメラ１０に限られることなく、各種の携帯式電子機器の載置台として広く利用可能である。
【産業上の利用可能性】
【００３２】
本願発明は、充電や外部入出力機能を有するコネクタ付きの載置台に広く利用可能である。
【図面の簡単な説明】
【００３３】
【図１】ビデオカメラと載置台との関係を示す分解斜視図である。
【図２】ビデオカメラの外観斜視図である。
【図３】ビデオカメラの側面図および正面図である。
【図４】載置台の分解斜視図である。
【図５】載置台に対するビデオカメラの着脱の動作を示す正面図である。
【図６】載置台の受板の状態の変化を示す背面側から見た縦断面図である。
【図７】プッシュ・プッシュ式ラッチの分解斜視図である。
【図８】プッシュ・プッシュ式ラッチの縦断面図である。
【符号の説明】
【００３４】
１０…デジタルビデオカメラ、１１…クレードル（載置台）、１４…鏡筒、１５…ビューファインダ、１６…モニタ（液晶表示部）、１７、１８…位置決め用凹部、２０…被接続部、２５…受板、２６…本体部、２７…底板、３０…開口、３１…コネクタホルダ、３２…コネクタ、３３…プリント基板、３４…フレキシブル基板、３５…プリント基板、３６…押え、３９…位置決め用凸部、４０…位置決め用爪、４１…ヒンジブラケット、４２…ヒンジピン、４３…ヒンジブラケッ  ト、４６…開口、４７…保持部、４８…プッシュ・プッシュ式ラッチ、４９…係止爪、５２…ケース、５３…摺動子、５４…薄肉のヒンジ部、５５…狭着子、５６…押圧用側壁、５７…ロック部、６０…異形のハートカム、６１…係合部、６２…係合ピン、６３…屈曲部、６４…ガイドリブ、６５…圧縮コイルばね、６６…円形の凹部、６７…ピン、６８…突部、６９…スリット
【図１】
2006180098.tif 000003
【図２】
2006180098.tif 000004
【図３】
2006180098.tif 000005
【図４】
2006180098.tif 000006
【図５】
2006180098.tif 000007
【図６】
2006180098.tif 000008
【図７】
2006180098.tif 000009
【図８】
2006180098.tif 000010